(57)【要約】【課題】  沸騰中に発生したおねばをふきこぼれることなく鍋内に還流させ、強い火力で炊き上げることの出来る炊飯器を提供すること。【解決手段】  炊飯器本体１と、本体１の上面開口部を覆う開閉自在な蓋体３と、蓋体３を貫通してなる蒸気口４内部に設けられた蒸気筒５と、蒸気筒５内部におねばたまり部７を設け、おねばたまり部下方には還流孔８を備え、還流孔８の外側には、この還流孔８を覆う形で構成された還流弁９とを備え、還流弁９の外周におねば弱勢手段１１を設けたことにより、炊飯中の沸騰によって発生したおねばの泡が通気孔と還流弁との間に設けられたおねばの還流を行なうための隙間に対して流れ込みにくい構成となり、ふきこぼれに強く、強火でおいしいご飯を炊くことが出来るようになる。【選択図】  図１
2005080682.tif 000002
【特許請求の範囲】
【請求項１】
炊飯器本体と、前記本体の上面開口部を覆う開閉自在な蓋体と、前記蓋体を貫通してなる蒸気口内部に設けられた蒸気筒と、前記蒸気筒内部におねばたまり部を設け、前記おねばたまり部下方には還流孔を備え、前記還流孔の外側には、この還流孔を覆う形で構成された還流弁とを備え、前記還流弁外周にはおねば弱勢手段を設けてなる炊飯器。
【請求項２】
おねば弱勢手段で構成した凹部の中に還流弁を配置してなる炊飯器。
【請求項３】
おねば弱勢手段は、還流弁周囲を囲むリブによって構成した炊飯器。
【請求項４】
還流孔の外周部に沿って、凹状の溝部を設けた請求項１〜３のいずれか１項に記載の炊飯器。
【請求項５】
還流弁の表面は、おねば弱勢手段より低い位置に設置してなる請求項１〜４のいずれか１項に記載の炊飯器。
【請求項６】
還流弁外周とおねば弱勢手段内壁との間の隙間を、１〜４ｍｍの間とした請求項１〜５のいずれか１項に記載の炊飯器。
【発明の詳細な説明】
【技術分野】
【０００１】
本発明は、一般家庭あるいは業務用に使用した炊飯器に関するものである。
【背景技術】
【０００２】
従来、この種の炊飯器は図６に示すような構成になっている。図６は、特許文献１に記載された従来の炊飯器を示すものである。図６に示すように、炊飯器上面開口部を開閉自在に覆う蓋体２１と、前記蓋体２１を貫通する蒸気孔２２には蒸気筒２３を備え、前記蒸気筒２３は筒状で上壁面に蒸気口２４と、おねばを含んだ蒸気を蒸気筒２３に取り入れる蒸気案内筒２５と、おねばを溜めるおねばたまり部２６と、このおねばたまり部２６と鍋とを連通する還流孔２７と、鍋の内圧によって還流孔２７を開閉するようにゴム状の材質で構成された還流弁２８から構成されており、この還流孔２７と還流弁２８との間にはおねばを鍋内に還流させるための隙間２９が設けられている（例えば、特許文献１参照）。
【特許文献１】特開平１１−２４４１３８号公報（第２−３項）
【発明の開示】
【発明が解決しようとする課題】
【０００３】
しかしながら、前記従来の構成では、鍋内が沸騰して内圧が高まって隙間２９が閉じる直前に吹き上げてくる泡状のおねばは、そのまま隙間２９に到達しておねばたまり部２６に入り込んでしまい、ふきこぼれを誘発していた。
【０００４】
また、この隙間２９が小さいとおねばが鍋に還流されずに蒸気筒２３内に溜まり、炊飯器本体外へ溢れ出してふきこぼれてしまう。逆にこの隙間２９が大きいと、沸騰して上昇してきた鍋内のおねばが直接この隙間にぶつかり、その勢いで隙間２９に入り込み、還流孔２７付近に溜まっていたおねばを吹き上げて蒸気筒２３内部をおねばの泡で満たし、炊飯器本体外へふきこぼれる。
【０００５】
おいしいご飯を炊くためには強い火力で一気に炊き上げる必要があるが、火力が強いほどふきこぼれが多くなる。このため、還流弁２８の寸法が長年の使用による形状変化などによって変化し、ふきこぼれに弱くなってくる分を見越して沸騰時の加熱量を落し、弱火でゆっくり炊き上げる設定にしてしまうと、ご飯の食味が落ちるという課題を有していた。
【０００６】
さらに、この構成では蒸気筒２３を本体から外して洗う時、台上に置くと還流弁２８が台に接触し、変形の原因となったり、台に吸着してしまうという課題も有していた。
【０００７】
本発明は、前記従来の課題を解決するもので、還流孔と還流弁との間の隙間に鍋内のおねばが入りにくい構成にし、ふきこぼれずにおいしいご飯を炊くことが出来、かつお手入れ時に扱いやすい炊飯器を提供することを目的とする。
【課題を解決するための手段】
【０００８】
前記従来の課題を解決するために、本発明の炊飯器は、おねばたまり部下方に設けた還流弁の外周には、おねば弱勢手段を設けたものである。
【０００９】
これによって、炊飯中の沸騰によって発生したおねばの泡が還流孔と還流弁との間に設けられた隙間に流れ込みにくくなり、この隙間から容易におねばが侵入出来ないようになる。
【発明の効果】
【００１０】
本発明の炊飯器は、ふきこぼれに強い蒸気口構成を持つことで、強い火力でご飯を炊き上げ、食味を向上させることができる。
【発明を実施するための最良の形態】
【００１１】
第１の発明は炊飯器本体と、前記本体の上面開口部を覆う開閉自在な蓋体と、前記蓋体を貫通してなる蒸気口内部に設けられた蒸気筒と、前記蒸気筒内部におねばたまり部を設け、前記おねばたまり部下方には還流孔を備え、前記還流孔の外側には、この還流孔を覆う形で構成された還流弁とを備え、前記還流弁外周にはおねば弱勢手段を設けられたことにより、炊飯中の沸騰によって発生したおねばの泡が還流孔と還流弁との間に設けられた隙間に流れ込む事を防ぎ、ふきこぼれに強い構成となり、その分ご飯を炊き上げる火力を上げて食味を向上させることができる。
【００１２】
第２の発明は、特に、第１発明のおねば弱勢手段で構成した凹部の中に還流弁を配置したことにより、沸騰して内圧が上がった時は、還流弁を還流孔側に押し付ける方向に力が加えられてふきこぼれを防止し、内圧が下がった時は開放されて還流弁と還流孔との間に隙間が出来、おねばを鍋に還流して、ふきこぼれを防ぐことができる。
【００１３】
第３の発明は、特に、第１の発明のおねば弱勢手段を、還流弁周囲を囲むリブによって構成したとすることにより、沸騰して内圧が上がった時は、還流弁を還流孔側に押し付ける方向に力が加えられてふきこぼれを防止し、内圧が下がった時は開放されて還流弁と還流孔との間に隙間が出来、おねばを鍋に還流してふきこぼれを防ぐことができる。
【００１４】
第４の発明は、特に、第１〜３の発明のいずれか１つの発明の還流孔の外周部に沿って凹状の溝部を設けたことで、溝部におねばを入り込ませて還流弁と還流孔との間の隙間まで埋め、この隙間をシール状の状態にしておねばが入り込むのを防ぎ、ふきこぼれを防止することができる。
【００１５】
第５の発明は、特に、第１〜４の発明のいずれか１つの発明の還流弁の表面を、おねば弱勢手段より低い位置に設置したことにより、鍋内のおねばが蒸気筒側面を伝って還流弁と還流孔との間の隙間にそのままの勢いで直接ぶつかって進入することがなくなり、ふきこぼれを防止することができる。また、蒸気筒を外して洗うとき、台の上に置いても蒸気弁が台に接触することなく、変形や台への吸着を防ぐことが出来る。
【００１６】
第６の発明は、特に、第１〜５の発明のいずれか１つの発明の還流弁外周とおねば弱勢手段内壁との間の隙間を、１〜４ｍｍの間に設定したことにより、おねば弱勢手段の効果を有効に得ることが出来る。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における炊飯器の断面図を示すもの、図２は、この炊飯器における断面の一部を拡大した詳細図である。
【００１９】
図１、図２において、炊飯器本体１に収納された鍋２上部に開閉自在に設けられた蓋体３を貫通した蒸気口４内部には蒸気筒５が設けられており、この蒸気筒５は側壁面上部に通気口６、下部にはおねばたまり部７を有し、おねばたまり部７の底には還流孔８が設けられている。還流孔８の鍋２側には、還流弁９が設けられている。この還流弁９は、ゴムのような弾力性のある材料で出来ており、薄肉状で、自在に変形出来るようになっている。この還流孔８と還流弁９の間には、隙間Ａが設けられている。また、還流弁９外周側は、蒸気筒５の肉厚を変えることで凹状の形状を構成しており、これがおねば弱勢手段１１をなしている。還流弁９外周とおねば弱勢手段１１との間には、隙間Ｂが設けられている。
【００２０】
また、蒸気筒５上壁面には、蒸気を外部に排出するための排出孔１３が開いている。
【００２１】
以上のように構成された炊飯器について、以下その動作、作用を説明する。
【００２２】
まず、炊飯を開始し、鍋２内部が沸騰してくると、おねばが泡状となって鍋２内部を満たし、蒸気口４まで達する。このおねばが蒸気と共に通気口６を通って蒸気筒５内に入り、蒸気はそのまま排出孔１１から外部に排出されるが、おねばは一旦おねばたまり部７に落下し、溜め込まれる。この時、鍋２内の内圧が高まった後であれば、還流弁９には鍋２側から圧力がかかって隙間Ａを閉じる方向に変形し、この隙間Ａからおねばたまり部７におねばを含んだ蒸気が流れ込まないため、おねばたまり部７内のおねばを吹き上げて外部にふきこぼれさせる心配がない。しかし、まだ隙間Ａが閉じる前に鍋２内のおねばが隙間Ａに達すると、そのまま隙間Ａからおねばたまり部７に侵入し、外部へのふきこぼれの原因となってしまう。
【００２３】
この時、還流孔８外周部をおねば弱勢手段１１によって囲まれているため、隙間Ａに向かって接近したおねばはその前に隙間Ｂに到達するが、この隙間Ｂはおねば弱勢手段１１や還流弁９外周に囲まれた影を形成しており、直接隙間Ａに向かうことにならないため、手前で流速が落ち、隙間Ａに入り込みにくい。
【００２４】
さらに沸騰が持続され、通気口６を通ったおねばがおねばたまり部７に増えてくると、排出孔１３から溢れる可能性が出てくるため、一時的に沸騰を弱めて鍋２内の内圧を下げる。内圧が下がると還流弁９の変形が戻るため、隙間Ａが広がる。従って、おねばはこの隙間Ａから鍋２内に流出していく。更に沸騰を継続するために、おねばが鍋２内に流出した時点で再び加熱を強めれば良い。この時も鍋２内のおねばが還流弁９周囲に達した時、還流弁９が設計意図通りに隙間Ａを完全に閉じることが出来ていなくも、おねば弱勢手段１１によって隙間Ａを通り抜ける力は弱められるため、ふきこぼれはし難くなる。
【００２５】
以上のように、本実施の形態においては、還流弁９を弾力性のある材料で構成し、還流孔８との間に隙間を空けた状態で還流孔８を覆い、還流弁９外周側には、蒸気筒５から突き出したリブ１１が還流弁９を囲んでいることにより、還流弁９の変形が不十分で還流弁９と還流孔８との間の隙間Ａが完全に閉じていなくてもおねばはこの隙間Ａに侵入しにくいため、沸騰時は、還流孔８からの逆流で泡状になることを防いでおねばたまり部７に確実に溜め込み、加熱を一時的に止めて素早くおねばを鍋２内に還流して再び沸騰させることが出来て、ふきこぼれずに強い火力でご飯を炊くことの出来る構成を得ることができる。
【００２６】
なお、本実施例では、リブで還流弁全周を囲む形で説明しているが、例えば半周はリブで囲み、残り半周は常に隙間Ａが閉じた状態に設定してあっても、当然同様の効果が得られる。
【００２７】
また、還流弁９を、弾力性のある材料が固定された構成で説明したが、還流弁９は滑らかで表面の硬い材料で出来ていて、蒸気筒５との勘合部には隙間を設けて上下方向に自在に動くように構成したり、ヒンジ構成を用いて片開きにするなど、還流弁９と還流孔８との間の隙間が自重で開閉する構成であれば、当然同様の効果が得られる。
【００２８】
（実施の形態２）
図３は、本発明の第３の実施の形態の炊飯器における断面の一部を拡大した詳細図である。
【００２９】
図３において、炊飯器本体及び蓋体の基本構成は、実施の形態１と同じである。ここで、還流弁９外周側には、蒸気筒５から還流弁９を取り囲む状態でリブが出ており、これによっておねば弱勢手段１１をなしている。還流弁９外周とおねば弱勢手段１１との間には、隙間１２が設けられている。この構成によって、実施の形態１と同様、ふきこぼれずに強い火力で炊き上げることが出来る。
【００３０】
なお、本実施例においても、おねば弱勢手段１１のある構成であれば、還流弁９の構成は特に制限されるものではない。
【００３１】
（実施の形態３）
図４は、本発明の第３の実施の形態の炊飯器における断面の一部を拡大した詳細図である。
【００３２】
図４において、炊飯器本体及び蓋体の基本構成は、実施の形態１と同じである。
【００３３】
ここで、還流弁９外周側の隙間Ｂから、奥側に向けて凹部１４が構成されている。この凹部１４は、隙間Ｂに合わせて還流弁９の周りを囲む状態となっている。
【００３４】
以上のように構成された炊飯器について、以下その動作、作用を説明する。
【００３５】
鍋２内部が沸騰し、おねばを含んだ蒸気が還流弁９の周囲まで達すると、おねばを含んだ蒸気は一旦隙間Ａの横を通り、その奥にある凹部１４に向かおうとする。この凹部１４があるため、おねばが隙間Ａに達した時は、隙間Ａに対しておよそ直角方向への流れになって、隙間Ａには入り込みにくい。また、蒸気はこの凹部１４ではね返るが、おねばの内のいくらかは凹部１４にとどまり、それが蓄積されて隙間Ａ側面を覆いかぶせてしまう。この時には、おねばたまり部７にも既にいくらかのおねばが溜まっているため、その自重による圧力に押され、凹部１４に蓄積されたおねばがおねばたまり部に侵入する事は出来ない。
【００３６】
以上のように、本実施の形態においては、鍋２内に満たされたおねばが隙間Ａに達しても、入り込みにくい状態になり、また、この隙間Ａ外周をシールした状態が形成されるため、ふきこぼれずに強い火力で炊き上げることが出来る。
【００３７】
（実施の形態４）
図５は、本発明の第４の実施の形態の炊飯器における断面の一部を拡大した詳細図である。
【００３８】
図５において、炊飯器本体及び蓋体の基本構成は、実施の形態１と同じである。
【００３９】
ここで、還流弁９の鍋２側表面と、おねば弱勢手段１１の相対高さｃは、おねば弱勢手段１１の方を高い位置関係に設定している。従って還流弁９はおねば弱勢手段１１より奥側に収納される状態になっている。
【００４０】
以上のように、本実施の形態において、還流弁９がゴム材で構成されている場合、お手入れするために蒸気筒５を本体１から外し、流し台の上などに置いた時、還流弁９が流し台に接触しない構成になっているため、還流弁９の変形の原因になったり、流し台に吸着したりすることがない。
【００４１】
以上の実施例において、還流弁９とおねば弱勢手段１１との間の間隔１５と効果の評価を行なった結果を（表１）に示している。
【００４２】
【表１】
2005080682.tif 000003
【００４３】
（表１）より明らかなように、間隔Ａを変化させておねばたまり部７のおねばが鍋へ還流する状態と、おねば弱勢手段１１の効果を観測した。
【００４４】
間隔１５が１ｍｍ又はそれ以下に設定していると、おねばたまり部７に溜まったおねばは、隙間が狭すぎるために自重で通り抜けることが出来ず、鍋２内に還流されずにそのまま蓄積され、やがて排出孔１３を抜けて外部にふきこぼれてしまう。そのため、間隔１５は広い方が良いのだが、逆に広く取りすぎると、おねばが鍋２内に満たされた時、おねば弱勢手段１１によるおねばを隙間Ａに入りにくくする効果が薄れてくる。実験上、４ｍｍを超えたあたりから効果がなくなってくることが判明している。従って、間隔１５を、周囲の構成との兼ね合いで１〜４ｍｍの範囲ですれば良いことになる。
【００４５】
以上のように、本実施の形態において間隔１５の設定を１〜４ｍｍの範囲にすることで、おねば弱勢手段１１の効果を有効にすることが出来る。
【産業上の利用可能性】
【００４６】
以上のように、本発明にかかる炊飯器は、沸騰時のふきこぼれに強い構成を得ることが可能となるので、広く一般的に加熱調理を行なう調理鍋等の用途にも適用できる。
【図面の簡単な説明】
【００４７】
【図１】本発明の実施の形態１における炊飯器の部分断面図
【図２】本発明の実施の形態１における炊飯器の部分詳細断面図
【図３】本発明の実施の形態２における炊飯器の部分詳細断面図
【図４】本発明の実施の形態３における炊飯器の部分詳細断面図
【図５】本発明の実施の形態４における炊飯器の部分詳細断面図
【図６】従来の炊飯器の模式的な断面図
【符号の説明】
【００４８】
１  本体
２  鍋
３  蓋体
４  蒸気口
５  蒸気筒
７  おねばたまり部
８  還流孔
９  還流弁
１１  おねば弱勢手段
１４  溝部
【図１】
2005080682.tif 000004
【図２】
2005080682.tif 000005
【図３】
2005080682.tif 000006
【図４】
2005080682.tif 000007
【図５】
2005080682.tif 000008
【図６】
2005080682.tif 000009